(57)【要約】  室外熱交換器、室外熱交換器に空気を供給する少なくとも１つの室外ファン及び冷媒を圧縮する圧縮機が搭載され、吸込口及び吹出口を有する略箱状のケーシングを有する空気調和装置の室外ユニットにおいて、室外熱交換器は、複数の熱交換部で構成された第１熱交換器を有し、第１熱交換器は、水平断面視又は垂直断面視した状態において、複数の熱交換部が波形又はジグザクに配置されている。
2013183090.tif 000002
【特許請求の範囲】
【請求項１】
室外熱交換器、前記室外熱交換器に空気を供給する少なくとも１つの室外ファン及び冷媒を圧縮する圧縮機が搭載され、吸込口及び吹出口を有する略箱状のケーシングを有する空気調和装置の室外ユニットにおいて、
前記室外熱交換器は、
複数の熱交換部で構成された第１熱交換器を有し、
前記第１熱交換器は、
水平断面視又は垂直断面視した状態において、前記複数の熱交換部が波形又はジグザクに配置されている
ことを特徴とする空気調和装置の室外ユニット。
【請求項２】
前記第１熱交換器の上流側に設けられ、水平断面視した形状が直線状である第２熱交換器を有する
ことを特徴とする請求項１に記載の空気調和装置の室外ユニット。
【請求項３】
前記第１熱交換器は、
４台以上の前記熱交換部から構成された
ことを特徴とする請求項２に記載の空気調和装置の室外ユニット。
【請求項４】
前記第１熱交換器は、
前記熱交換部の接続部分のうち当該熱交換部を流れる空気流れ方向上流側のものが、前記第２熱交換器の下流側面に近接し、
前記熱交換部の接続部分のうち当該熱交換部を流れる空気流れ方向下流側のものが、前記室外ファンに近接するように、前記熱交換部が配置されている
ことを特徴とする請求項３に記載の空気調和装置の室外ユニット。
【請求項５】
前記第１熱交換器は、
複数の前記熱交換部のうち隣接する前記熱交換部同士が接続されて構成された
ことを特徴とする請求項１〜４のいずれか一項に記載の空気調和装置の室外ユニット。
【請求項６】
前記第１熱交換器は、
所定の間隔を介して積層された複数のフィンと、これらフィンを貫通し、冷媒が流れる伝熱管とを有し、
前記フィンの積層方向が略水平方向である
ことを特徴とする請求項１〜５のいずれか一項に記載の空気調和装置の室外ユニット。
【請求項７】
前記第１熱交換器は、
所定の間隔を介して積層された複数のフィンと、これらフィンを貫通し、冷媒が流れる伝熱管とを有し、
前記フィンの積層方向が略垂直方向である
ことを特徴とする請求項１〜５のいずれか一項に記載の空気調和装置の室外ユニット。
【請求項８】
前記室外ファンは、
回転する羽根と、前記羽根が固定されるボスと、当該ボスに接続され、前記ボスを回転させるモータとを有し、
前記モータが、
前記ボスに内蔵されている
ことを特徴とする請求項１〜６のいずれか一項に記載の空気調和装置の室外ユニット。
【請求項９】
前記室外ファンの前記羽根は、
内周側端部が前記ボスに接続された内周羽根と、
前記内周羽根の外周側端部に接続される中間リングと、
内周側端部が前記中間リングに接続された外周羽根とを有し、
前記中間リングは、
前記羽根の径方向における略中間部に設けられた
ことを特徴とする請求項８に記載の空気調和装置の室外ユニット。
【請求項１０】
前記室外ファンは、
隣接する前記外周羽根を固定するように、前記中間リングよりも前記羽根の径方向において外側に設けられた外周リングを有する
ことを特徴とする請求項９に記載の空気調和装置の室外ユニット。
【請求項１１】
前記第１熱交換器は、
前記第１熱交換器を構成する前記熱交換部の一端側と、この熱交換部に接続される前記熱交換部の他端側との接続箇所を折れ曲がり部としたとき、
前記折れ曲がり部の高さ位置が、前記中間リングの高さ位置と略一致するように前記複数の熱交換部が設けられた
ことを特徴とする請求項９又は１０に記載の空気調和装置の室外ユニット。
【請求項１２】
前記室外熱交換器側の空間と、前記圧縮機及び前記室外ファン側の空間とを区画するように立設された仕切板を有する
ことを特徴とする請求項１〜１１のいずれか一項に記載の空気調和装置の室外ユニット。
【請求項１３】
請求項１〜１２のいずれか一項に記載の空気調和装置の室外ユニットと、
室内熱交換器を有する室内ユニットとを備えた
ことを特徴とする空気調和装置。
【発明の詳細な説明】
【技術分野】
【０００１】
本発明は、空気調和装置の室外ユニット及びそれを備えた空気調和装置に関するものである。
【背景技術】
【０００２】
室外ユニットには、たとえば、室外熱交換器、この室外熱交換器に空気を供給するファン及び冷媒を圧縮する圧縮機などの機器が搭載され、それらを内蔵する箱状のケーシングを有しているものが各種提案されている。この室外ユニットは、冷媒配管を介して室内熱交換器などが搭載される室内ユニットに接続されており、室外ユニットから室内ユニットの室内熱交換器に冷媒を供給し、冷暖房を可能としている。【０００３】
このような従来の空気調和装置の室外ユニットには、室外熱交換器における空気と冷媒との熱交換量を向上させるため、ケーシング内における室外熱交換器の実装体積を増加させたものが提案されている（たとえば、特許文献１参照）。
特許文献１に記載の技術は、ケーシングの側面のうちの複数の面に対してケーシング内外を連通するようにケーシングを構成し、当該複数の面に沿うような形状に室外熱交換器を構成している。すなわち、特許文献１に記載の技術では、室外熱交換器は、ケーシング内外を連通する面に沿うように、室外熱交換器を略Ｌ字形状や略コの字状などに構成されている。
【先行技術文献】
【特許文献】
【０００４】
【特許文献１】特開２００６−５７８６４号公報（たとえば、図１〜図５参照）
【発明の概要】
【発明が解決しようとする課題】
【０００５】
特許文献１に記載の室外ユニットにおいて、ユニットサイズを大きくすることなく、室外熱交換器の熱交換量を増加させる方法として、天板や底板面に開口などを形成し、天板や底板面に沿って室外熱交換器を配置する方法が考えられる。
しかしながら、この方法では、天板の上側や底板面の下側に吸い込みスペースを設ける必要がある分、室外ユニットの設置位置が制約されてしまう可能性がある。また、この方法では、組立が複雑になるなどして室外ユニットの製造性の低下を招いてしまう可能性がある。【０００６】
特許文献１に記載の室外ユニットにおいて、ユニットサイズを大きくすることなく、室外熱交換器の熱交換量を増加させるその他の方法として、室外熱交換器の「厚み」、すなわち、フィンの空気流れ方向に平行な幅を大きくして、室外熱交換器の実装体積を大きくする方法が考えられる。
しかしながら、室外熱交換器の空気流れ方向の下流側ほど空気と冷媒との温度差は小さくなるため、厚みの増加とともに熱交換効率が低下し、結果として熱交換量の増加もそれほど見込むことができない可能性がある。【０００７】
また、室外熱交換器の通風抵抗、すなわちファン入力は室外熱交換器の厚さにほぼ比例して増加する。このため、室外熱交換器の厚さを増加させて実装体積を増加しても、通風抵抗が大きくなる分、熱交換量が減少し、厚みを増大させたことに見合うだけの熱交換量の増加を期待できない可能性がある。
なお、室外熱交換器の厚みを増加させると通風抵抗が増加することに対応して、ファン入力を増加させる方法も考えられる。しかし、室外熱交換器を通過する空気の速度を大きくすると、通風抵抗が大きくなることから、さらに余分にファン入力を増加させる必要があり、その分室外ユニットの消費電力が大きくなってしまう可能性があった。【０００８】
本発明は、以上のような課題のうちの少なくとも１つを解決するためになされたもので、ケーシングのサイズを大きくすることなく、室外熱交換器の熱交換量を高効率に増加させる空気調和装置の室外ユニット及びそれを備えた空気調和装置を提供することを目的としている。
【課題を解決するための手段】
【０００９】
本発明に係る空気調和装置の室外ユニットは、室外熱交換器、室外熱交換器に空気を供給する少なくとも１つの室外ファン及び冷媒を圧縮する圧縮機が搭載され、吸込口及び吹出口を有する略箱状のケーシングを有する空気調和装置の室外ユニットにおいて、室外熱交換器は、複数の熱交換部で構成された第１熱交換器を有し、第１熱交換器は、水平断面視又は垂直断面視した状態において、複数の熱交換部が波形又はジグザクに配置されているものである。
【発明の効果】
【００１０】
本発明に係る空気調和装置の室外ユニットによれば、室外熱交換器は、複数の熱交換部で構成された第１熱交換器を有し、第１熱交換器は、水平断面視又は垂直断面視した状態において、複数の熱交換部が波形又はジグザクに配置されているので、ケーシングのサイズを大きくすることなく、室外熱交換器の熱交換量を高効率に増加させることができる。
【図面の簡単な説明】
【００１１】
【図１】本発明の実施の形態１に係る空気調和装置の室外ユニットを示す外観斜視図である。
【図２】図１におけるＡ−Ａ断面模式図である。
【図３】本発明の実施の形態１に係る空気調和装置の室外ユニットの変形例である。
【図４】本発明の実施の形態２に係る空気調和装置の室外ユニットを示す外観斜視図である。
【図５】図４におけるＢ−Ｂ断面模式図である。
【図６】図４における矢印Ｃから見た熱交換器の模式図である。
【図７】本発明の実施の形態３に係る空気調和装置の室外ユニットを示す外観斜視図である。
【図８】図７におけるＥ−Ｅ断面模式図である。
【図９】本発明の実施の形態４に係る空気調和装置の冷媒回路構成の一例である。
【発明を実施するための形態】
【００１２】
以下、本発明の実施の形態を図面に基づいて説明する。
実施の形態１．  
図１は、実施の形態１に係る空気調和装置の室外ユニット５０を示す斜視図である。図２は、図１におけるＡ−Ａ断面模式図である。なお、図２に示す矢印は、室外ユニット５０を流れる空気の流れを示すものである。
本実施の形態１に係る空気調和装置の室外ユニット５０は、室外ユニット５０に搭載された室外熱交換器７、２０に改良が加えられたものであり、室外ユニット５０の外郭であるケーシング１のサイズを大きくすることなく、室外熱交換器７、２０の熱交換量を高効率に増加させることが可能となっている。
【００１３】
［構成説明］
室外ユニット５０は、外郭であるケーシング１と、冷媒を圧縮する圧縮機９と、空気を送風する室外ファン４と、冷房運転時には凝縮器として機能し、暖房運転時には蒸発器として機能する室外熱交換器７及び室外熱交換器２０と、室外熱交換器７、２０及び室外ファン４側と圧縮機９側とを仕切る仕切板８とを有している。
【００１４】
（ケーシング１）
ケーシング１は、室外ユニット５０外の空気を取り込む吸込口６、及び室外ユニット５０内の空気が放出される吹出口２が形成された箱状の外郭である。ケーシング１内には、室外ファン４が駆動することによって吸込口６から流入した空気が室外熱交換器２０と室外熱交換器７及び室外ファン４を通って吹出口２へ流れる風路が形成されている。
ケーシング１は、たとえば、外郭のうちの底面側を構成するベース板１ａと、前面側を構成し、吹出口２が形成されたフロントパネル１ｂと、両方の側面側及び後面側を構成し、吸込口６が形成されたサイドパネル１ｃと、上面側を構成する天板１ｄとを有している
【００１５】
ベース板１ａは、ケーシング１のうち下面側の外郭を構成するものである。ベース板１ａ上には、室外熱交換器７と室外熱交換器２０及び圧縮機９が固定されている。また、ベース板１ａ上には、仕切板８が立設されており、ケーシング１内に取り込まれた後に放出される空気が流れる室外熱交換器７、２０及び室外ファン４側と、圧縮機９などが設けられる側とが区画されている。
フロントパネル１ｂは、ケーシング１のうち室外ファン４が設けられている側の外郭を構成するものである。フロントパネル１ｂのうちの前面外郭であって吹出口２の形成位置には、室外ファン４が図示省略のステーを介して取り付けられている。なお、吹出口２の形成位置は、室外ファン４の取付位置と対向している。また、フロントパネル１ｂには、吹出口２の開口部分の周縁側において、吹出口２側から吸込口６側に向かって突出して形成されたベルマウス３が設けられている。
【００１６】
サイドパネル１ｃは、フロントパネル１ｂに対して略垂直な側面側の外郭を構成するものである。サイドパネル１ｃは、一方が後述の室外熱交換器７の熱交換部７ａと対向するように設けられ、他方が圧縮機９側に設けられている。圧縮機９側に設けられているサイドパネル１ｃは、水平断面形状が略Ｌ字状となっており、仕切板８と対向する面及びフロントパネル１ｂと対向する面に対して立設している。
天板１ｄは、ケーシング１のうち上面側の外郭を構成するものである。天板１ｄは、たとえばフロントパネル１ｂの上端側、サイドパネル１ｃの上端側などに固定されている。
なお、ケーシング１は、室外熱交換器２０の上流側の面と対向する側が、開放されており、この開放部分が吸込口６を構成している。
【００１７】
（圧縮機９）
圧縮機９は、冷媒を圧縮して吐出するものである。圧縮機９は、ベース板１ａ上であって仕切板８を介して室外熱交換器７、２０及び室外ファン４側とは反対側に設けられている。
【００１８】
（室外ファン４）
室外ファン４は、吸込口６を介してケーシング１内に空気を強制的に取り込み、この取り込んだ空気を吹出口２から放出させるものである。室外ファン４は、ファンモータ５と、このファンモータ５によって回転駆動するボス４ｂと、このボス４ｂの外周部に接続されて設けられた複数の羽根４ａとを有している。ボス４ｂは、図２に示すように、略円板状の部材であり、内部にファンモータ５が内蔵されている。ボス４ｂは、ボス４ｂを平面視した際の円の中心を通り、空気流れ方向に略平行な方向に回転軸を有している。室外ファン４は、ファンモータ５によってボス４ｂを軸回転させ、羽根４ａを回転させる。室外ファン４は、たとえば軸流ファンなどとするとよい。
なお、羽根４ａの回転軸に平行な方向の幅を狭くするとともに、羽根４ａの枚数を多くするとよい。たとえば、従来では３枚から４枚である羽根枚数を６枚以上にするとよい。これにより、室外ファン４が室外熱交換器７に空気を供給する能力を確保しながら、省スペース化を図ることができ、室外熱交換器７を設置することができるスペースを拡大することができる。すなわち、室外ファン４側のスペースを室外熱交換器７に割くことができる分、室外熱交換器７の実装体積を増大させることができ、ケーシング１のサイズを大きくすることなく、室外熱交換器７の熱交換量を高効率に増加させることができる。
【００１９】
（室外熱交換器７）
室外熱交換器７は、図２に示すように、室外熱交換器２０の下流側に設けられ、供給される空気と冷媒とを熱交換させる４つの熱交換部７ｂ〜７ｅを有している。熱交換部７ｂ〜７ｅは、熱交換器であり、これらが冷媒配管で接続されて室外熱交換器７を構成している。
なお、熱交換部７ｂ〜７ｅは、たとえば、隣接する熱交換部７ｂ〜７ｅ同士を冷媒配管で接続する。すなわち、図２の例では、「熱交換部７ｂと熱交換部７ｃ」、「熱交換部７ｃと熱交換部７ｄ」、及び「熱交換部７ｄと熱交換部７ｅ」を接続するということである。
熱交換部７ｂ〜７ｅは、水平断面視した形状が略波形（ジグザグ状）となるように配置されている。このため、ケーシング１内に設けられる室外熱交換器７の実装体積が増大し、熱交換量を増大させることができる。
また、室外熱交換器７は、水平断面形状が略波形であることに対応して、たとえば水平断面形状が直線状の室外熱交換器と比較すると、室外熱交換器７の通風面積も増大する。このため、室外熱交換器７は、たとえば水平断面形状が直線状のものと同じ値だけ実装体積を増加させても、増大する通風抵抗を抑制することが可能となっている。すなわち、室外熱交換器７は、室外熱交換器７の実装体積の増大に伴ってファン入力を増大させても、室外熱交換器７の通風抵抗を抑制することができる分、ファン入力を低減することができる。
さらに、室外熱交換器７は、実装体積及び通風面積が大きいが、水平断面視した形状が略波形となっているため、コンパクトとなっている。
このように、室外熱交換器７は、ケーシング１のサイズを大きくすることなく、実装体積及び通風面積を大きくすることができ、室外熱交換器７の熱交換量を高効率に増加させることができるようになっている。
【００２０】
熱交換部７ｂは、室外熱交換器７のうちの一方の端部側を構成するものであり、圧縮機９が設けられている側とは反対側のサイドパネル１ｃに対して対向するように立設している。熱交換部７ｂは、熱交換部７ｃに接続されている。
熱交換部７ｃは、一方の端部側が熱交換部７ｂに接続され、他方の端部側が熱交換部７ｄに接続されている。
【００２１】
熱交換部７ｄは、一方の端部側が熱交換部７ｃに接続され、他方の端部側が熱交換部７ｅに接続されている。熱交換部７ｅは、室外熱交換器７のうちの他方の端部側を構成するものであり、仕切板８に対して対向するように立設している。熱交換部７ｅは、熱交換部７ｄに接続されている。
また、熱交換部７ｂと熱交換部７ｃとの接続角度（第１の角度）、熱交換部７ｃと熱交換部７ｄとの接続角度（第２の角度）、及び熱交換部７ｄと熱交換部７ｅとの接続角度（第３の角度）は、室外熱交換器７を水平断面視したときに、鋭角となるように接続されている。なお、これらの接続角度は同じ値でなくてもよい。
【００２２】
室外熱交換器７は、熱交換器である熱交換部７ｂ〜７ｅが４つ接続されて構成されており、熱交換部７ｂ〜７ｅ同士を接続する冷媒配管が曲げられたような形状をしている。すなわち、室外熱交換器７は、熱交換部７ｂと熱交換部７ｃとの接続箇所に対応する冷媒配管（第１の折れ曲がり部）と、熱交換部７ｃと熱交換部７ｄとの接続箇所に対応する冷媒配管（第２の折れ曲がり部）と、熱交換部７ｄと熱交換部７ｅとの接続箇所に対応する冷媒配管（第３の折れ曲がり部）とを有している。このように、室外熱交換器７は、熱交換部７ｂ〜７ｅを合計４台有しているため、これに対応して折れ曲がり部が３つ形成されている。すなわち、熱交換部の台数が仮にＮ台（Ｎは２以上の整数）である場合には、折れ曲がり部はＮ−１つ形成されるということである。
また、熱交換部７ｂ〜７ｅの室外ファン４側の端部側は、室外ファン４に近接し、室外熱交換器７の通風面積が十分大きくなるように配置されている。
【００２３】
熱交換部７ｂ〜７ｅは、フィン７１と伝熱管（図示省略）で構成されている。フィン７１は、紙面直交方向（垂直方向）に伸びた短冊状の板で、空気が流れるすきまが形成されるように一定の間隔を介して水平方向に複数積層されている。
なお、熱交換部７ｂ〜７ｅの構成は、それに限定されるものではなく、フィン７１が垂直方向に複数積層されたものであってもよい。フィン７１が水平方向に積層している場合には、図２に示すように、空気流れ方向に対してフィン７１が所定角度を形成しているが、フィン７１を垂直方向に積層すると空気流れ方向に対してフィン７１が平行となる。すなわち、フィン７１を垂直方向に積層すると、フィン７１間のすきまが水平方向に拡がっている。このため、室外熱交換器７の通風抵抗を低減することができ、ファン入力を低減することができる。
【００２４】
（室外熱交換器２０）
室外熱交換器２０は、冷媒と、室外ファン４により供給される空気とを熱交換させるものである。そして、室外熱交換器２０は、室外熱交換器７の上流側に設けられている。すなわち、室外熱交換器２０の上流側の面は、ケーシング１の吸込口６を介して露出しており、また、下流側の面は室外熱交換器７の第１の折れ曲がり部、第３の折れ曲がり部及び第５の折れ曲がり部側と対向するように設けられている。
室外熱交換器２０は、室外熱交換器７と同様に、フィン７１Ｂと伝熱管（図示省略）で構成されている。フィン７１Ｂは、紙面直交方向（垂直方向）に伸びた短冊状の板で、空気が流れるすきまが形成されるように一定の間隔を介して水平方向に複数積層されている。なお、室外熱交換器２０の構成は、それに限定されるものではなく、フィン７１Ｂが垂直方向に複数積層されたものであってもよい。なお、室外熱交換器７と室外熱交換器２０の仕様（段ピッチ、列ピッチ、フィンピッチ、冷媒配管径など）は同一である必要はない。例えば、通風抵抗を低減するために、室外熱交換器２０の段ピッチやフィンピッチを室外熱交換器７より大きくしても良いし、室外熱交換器２０の列ピッチや冷媒配管径を室外熱交換器７より大きくしても良い。また、暖房運転時の室外熱交換器への着霜耐力を向上するために、空気の上流側に設置された室外熱交換器２０の列ピッチを大きくして伝熱面積を大きくし、霜でフィンの隙間が閉塞されるまでの時間を長くして除霜が始まるまでの時間を長くすることもできる。また、室外熱交換器２０のフィン形状をフラット形状とし、室外熱交換器７のフィン形状を切り起こし形状とすることで、空気上流側の室外熱交換器２０で着霜させることで着霜耐力を確保しつつ下流側の室外熱交換器７で熱交換性能を向上することができる。
【００２５】
（仕切板８）
仕切板８は、室外熱交換器７、２０及び室外ファン４などが設けられる側の空間と、圧縮機９などが設けられる側の空間とを区画するものである。仕切板８は、図２に示すように、一端側がケーシング１のうち吸込口６が形成されている側に固定され、他端側がケーシング１のフロントパネル１ｂ側に固定されている。なお、仕切板８が、サイドパネル１ｃに対して略平行に設けられている場合を例に図示しているが、それに限定されるものではない。たとえば、仕切板８の一端側が、圧縮機９などの設けられている側に曲げられて形成され、風路を拡大するように仕切板８を構成してもよい。
【００２６】
本実施の形態１では、室外熱交換器７の熱交換部の台数を４つとし、折れ曲がり部の数を３つとした場合を例に説明したが、それに限定されるものではない。たとえば、熱交換部の台数を６つ以上とし、室外熱交換器７の折れ曲がり部の数を５つ以上としてもよい。この場合には、通風抵抗の増加も伴うことがあるため、室外熱交換器７を薄くするなど、室外熱交換器７の仕様を適宜選択するとなお良い。
【００２７】
また、室外熱交換器７は、第１〜第３折れ曲がり部のうちのいずれかが設けられていなくてもよい。たとえば、第２折れ曲がり部が設けられていない場合には、熱交換部７ｃと熱交換部７ｄが室外熱交換器２０に対して略平行に配置されることとなる。これによっても、室外熱交換器７の少なくとも一部は、水平断面形状が略波形となっており、ケーシング１のサイズを大きくすることなく、室外熱交換器７の熱交換量を高効率に増加させることができる。
【００２８】
また、本実施の形態１では、羽根４ａの径方向の長さを大きくして１台の室外ファン４で所定の風量を発生させるようにしている。これは、羽根４ａの径方向の長さを大きくして１台の室外ファン４で所定の風量を発生させることにより、室外ファン４を比較的低回転数で効率良く運転でき、また、騒音を抑制することができるからである。ただし、ケーシング１内に設置する室外ファン４の台数は１台に限定されるものではない。
たとえば、室外熱交換器７の熱交換部７ｂ〜７ｅの台数の増加に応じて、すなわちケーシング１内を占める室外熱交換器７の体積（実装体積）の増加に応じて室外熱交換器７に供給する風量を増加させる場合がある。この場合には、ケーシング１に複数の室外ファン４を設けてもよい。
【００２９】
具体的には、たとえば２台の室外ファン４を設ける場合には、一方の室外ファン４のボス４ｂの中心位置が、熱交換部７ｂと熱交換部７ｃとの接続部である第１の折れ曲がり部付近にくるように、一方の室外ファン４を配置するとよい。また、他方の室外ファン４のボス４ｂの中心位置が、熱交換部７ｄと熱交換部７ｅとの接続部である第３の折れ曲がり部付近にくるように、他方の室外ファン４を配置するとよい。
これにより、１台の室外ファン４と対向する範囲に多くの折れ曲がり部を配置することとなり、１台あたりの室外ファン４が室外熱交換器７へ空気を供給することができる室外熱交換器７の体積を増加させることができ、通風抵抗つまりはファン入力を増加させることなく熱交換量を増大させることができ、さらには室外ファン４の消費電力の低減及び低騒音化を図ることもできる。
【００３０】
また、室外熱交換器７は、４つの熱交換部７ｂ〜７ｅを別体で構成しているが、熱交換部を一体で製造後、上述の第１〜第４の折れ曲がり部に対応する部分で室外熱交換器７を曲げることで構成してもよい。このように、室外熱交換器７を構成する場合には、第１〜第３の折れ曲がり部に対応する折り曲げ部分には、予めフィン７１を取り付けない構成にするとよい。これにより、フィン７１同士が干渉することが抑制され、室外熱交換器７の曲げ加工性を向上させることができる。また、折れ曲がり部は、もともと空気が流通しにくく熱交換への寄与は小さいため、室外熱交換器７の熱交換量を低下させることなくフィン７１の材料の使用量を削減することができ、コストアップを抑制することができる。
【００３１】
ここで、「垂直方向」は、重力の方向と厳密に一致する方向を示すものではなく、重力の方向から若干傾いてもよいものである。つまり、「垂直方向」は、実質的に垂直方向であることを示していることを付言しておく。
また、「水平方向」は、重力と直角に交わる方向と厳密に一致する方向を示すものではなく、重力と直角に交わる方向から若干傾いてもよいものである。つまり、「水平方向」は、実質的に水平方向であることを示していることを付言しておく。
【００３２】
［動作説明（空気の流れ）］
次に、本実施の形態１に係る室外ユニット５０の動作について説明する。
図２において白抜き矢印で空気の流れを示すように、室外ファン４により発生させる空気の流れは、吸込口６から、ベース板１ａ、フロントパネル１ｂ、サイドパネル１ｃ及び天板１ｄで形成された風路に流入し、吹出口２から放出される。すなわち、室外ファン４が駆動することにより、室外ユニット５０近傍の空気は、吸込口６から風路内に流入し、風路内に配置された室外熱交換器２０のフィン７１Ｂと室外熱交換器７のフィン７１間を通って、吹出口２から排出される。なお、室外熱交換器２０のフィン７１Ｂと室外熱交換器７のフィン７１間を通る空気は、室外熱交換器２０と室外熱交換器７を流れる冷媒と熱交換する。
【００３３】
ここで、図２中の白抜き矢印からわかるように、本実施の形態１に係る室外ユニット５０においては、吸込口６から吸い込まれた空気は、ほぼ直線状に風路内を通過して室外ファン４から放出される。このため、風路内での圧力損失の多くは室外熱交換器７、２０を通過する際に発生する圧力損失であり、空気の曲がりや拡大・縮小などに起因する圧力損失、いわゆる形状損失が抑制されている分、ファン入力の低減を図ることができる。
また、本実施の形態１に係る室外ユニット５０においては、室外ファン４の回転軸に略平行に空気が流入するという、軸流ファンに適した流入条件となっている。このため、室外ファン４のファン効率が向上するとともに、乱れの少ない流れが室外ファン４に流入するので、騒音も低減することができる。
【００３４】
［変形例］
図３は、実施の形態１に係る空気調和装置の室外ユニット５０の変形例である。
図１及び図２では、熱交換部７ｂと熱交換部７ｃとの接続部（第１の折れ曲がり部）及び熱交換部７ｄと熱交換部７ｅとの接続部（第３の折れ曲がり部）が室外ファン４に近接し、熱交換部７ｃと熱交換部７ｄとの接続部（第２の折れ曲がり部）が室外熱交換器２０に近接するように各熱交換部７ｂ〜７ｅを波形に配置したが、この配置方法に限定されるものではない。
【００３５】
図３に示すように、室外熱交換器７の上流側と下流側とが反転するように室外熱交換器７を配置してもよい。すなわち、熱交換部７ｂと熱交換部７ｃとの接続部（第１の折れ曲がり部）及び熱交換部７ｄと熱交換部７ｅとの接続部（第３の折れ曲がり部）が室外熱交換器２０に近接し、熱交換部７ｃと熱交換部７ｄとの接続部（第２の折れ曲がり部）が室外ファン４に近接するように熱交換部７ｂ〜７ｅを波形に配置してもよい。なお、図３のように熱交換部７ｂ〜７ｅを配置する場合には、熱交換部７ｃと熱交換部７ｄとの接続部（第２の折れ曲がり部）の位置が、室外ファン４のボス４ｂに近接するように熱交換部７ｂ〜７ｅを配置するとよい。室外熱交換器７の折れ曲がり部付近では比較的空気が流れにくいが、ボス４ｂの近傍においても空気の流通量が低減している。このため、第２の折れ曲がり部とボス４ｂの位置とが略一致させることで、室外ファン４の空力性能の低下を抑制することができる。
【００３６】
［実施の形態１に係る室外ユニット５０の有する効果］
本実施の形態１に係る室外ユニット５０は、ケーシング１内に内蔵されている室外熱交換器７を熱交換部７ｂ〜７ｅで構成し、これらを略波形（ジグザグ状）に配置したので、ユニットサイズを大きくすることなく室外熱交換器７の実装体積を増加させることができる。すなわち、室外ユニット５０は、ケーシング１のサイズを大きくすることなく、室外熱交換器７、２０の熱交換量を高効率に増加させることが可能となっている。
【００３７】
本実施の形態１に係る室外ユニット５０は、室外熱交換器７を構成する熱交換部７ｂ〜７ｅを略波形に配置しているため、室外熱交換器７に供給される空気を吸込む面積を十分大きく確保することができるようになっている。これにより、室外熱交換器７の通風抵抗が低減する分、ファン入力を低減させることができ、室外ユニット５０の消費電力を抑制することができる
【００３８】
このように、本実施の形態１に係る室外ユニット５０は、熱交換部７ｂ〜７ｅを略波形（ジグザグ状）に配置したので、室外熱交換器７、２０の熱交換量を高効率に増加させることと、通風抵抗（つまりはファン入力）の低減をすることとの両立を図ることができるようになっている。すなわち、室外熱交換器７の体積増加に応じて風量を増加させても、通風面積も同時に増加させているため、室外熱交換器７の通風速度の増加が抑制され、通風抵抗の増大を招くことなく、効率よく室外熱交換器７の熱交換量を増大させることができるようになっている。
【００３９】
本実施の形態１に係る室外ユニット５０は、室外熱交換器２０を室外熱交換器７の上流側に配置しているので、異物が室外熱交換器７のフィン７１の隙間やジグザグの隙間に入ってしまうことを抑制することができる。
【００４０】
本実施の形態１に係る室外ユニット５０は、室外熱交換器２０と室外熱交換器７との間に空間が設けられているため、室外熱交換器２０のフィン７１Ｂに沿う温度境界層の連続的な発達を阻止し分断することにより平均熱伝達率を増大できる。
【００４１】
室外熱交換器を略Ｌ字形状や略コの字状などに構成し、この室外熱交換器がケーシング１の面に沿うようにした従来の室外ユニットと、本実施の形態１に係る室外ユニット５０とを比較すると、室外ユニット５０は次のような効果を奏する。
なお、以下では、室外熱交換器７の体積を、「積み幅長（フィン７１の積層方向において両端部に配置されたフィン７１間の距離）」×「フィン７１の長手方向長さ」×「フィン７１の短手方向長さ」と定義する。また、本実施の形態１に係る室外熱交換器７のように複数の熱交換部７ｂ〜７ｅで構成されたものの場合、各熱交換部７ｂ〜７ｅの体積の総和を室外熱交換器７の体積とする。
【００４２】
（１）フィン７１が水平方向に積層され、フィン７１の長手方向が垂直方向となっている室外熱交換器７を搭載した室外ユニット５０の場合（図２参照）。
従来の室外ユニットと本実施の形態１に係る室外ユニット５０のユニットサイズを同じとし、両室外ユニットに内蔵される熱交換器の体積も同一と仮定した場合、本実施の形態１に係る室外ユニット５０は、室外熱交換器７の積み幅長（つまり、各熱交換器の積み幅長の総和）を従来の室外ユニットよりも長くできるので、フィン７１の短手方向長さ（つまり、室外熱交換器７の厚み）を薄くすることが可能となる。
また、フィン７１の短手方向の長さと、フィン７１の短手方向に沿って配置される伝熱管の列数とは、対応関係がある。このため、従来の室外ユニットと本実施の形態１に係る室外ユニット５０のユニットサイズを同じとし、両室外ユニットに内蔵される室外熱交換器の体積も同一と仮定した場合、本実施の形態１に係る室外ユニット５０は、伝熱管７２の列数を少なくすることも可能となる。
【００４３】
（２）フィン７１が垂直方向に積層され、フィン７１の長手方向が水平方向となっている室外熱交換器７を搭載した室外ユニット５０の場合（図示省略）。
従来の室外ユニットと本実施の形態１に係る室外ユニット５０のユニットサイズを同じとし、両室外ユニットに内蔵される熱交換器の体積も同一と仮定した場合、本実施の形態１に係る室外ユニット５０は、各熱交換器のフィン７１の長手方向の長さの総和を従来の室外ユニットよりも長くできるので、フィン７１の短手方向の長さ（つまり、室外熱交換器７の厚み）を薄くすることが可能となる。
このため、上述のように、従来の室外ユニットと本実施の形態１に係る室外ユニット５０のユニットサイズを同じとし、両室外ユニットに搭載される室外熱交換器の体積も同一と仮定した場合、本実施の形態１に係る室外ユニット５０は、伝熱管７２の列数を少なくすることも可能となる。
【００４４】
上述の（１）及び（２）より、本実施の形態１に係る室外ユニット５０は、従来の室外ユニットと比べ、室外熱交換器７を効率良く動作させることができるので、ユニットサイズを大きくすることなく室外ユニット５０の性能を向上させることができる。すなわち、本実施の形態１に係る室外ユニット５０は、従来の室外ユニットと同等の熱交換効率を得ようとした場合、熱交換効率の向上分だけ室外熱交換器７の体積を削減できる。すなわち、室外熱交換器７の体積の削減量の分だけ、材料コストを抑制することができる。
【００４５】
実施の形態２．
実施の形態１において室外熱交換器７は、熱交換部７ａ〜７ｅが複数接続されて構成され、水平断面視した形状が略波形となるように熱交換部７ａ〜７ｅを配置したものであった。本実施の形態２において室外熱交換器７Ｂは、熱交換部７ａ〜７ｅが複数接続されて構成されている点では実施の形態１と共通しているが、垂直断面視した形状が略波形となるように熱交換部７ａ〜７ｅを配置している点で実施の形態１と異なっている。図４及び図５を参照して実施の形態２に係る室外ユニット５１について説明する。
【００４６】
図４は、実施の形態２に係る空気調和装置の室外ユニット５１を示す外観斜視図である。図５は、図４におけるＢ−Ｂ断面模式図である。なお、本実施の形態２では、実施の形態１と同一部分には同一符号とし、実施の形態１との相違点を中心に説明するものとする。また、図５に示す白抜き矢印は、室外ユニット５１を流れる空気の流れを示すものである。
【００４７】
室外熱交換器７Ｂは、図４及び図５に示すように、室外熱交換器２０の下流側に設けられ、供給される空気と冷媒とを熱交換させる４つの熱交換部７Ｂａ〜７Ｂｄを有している。熱交換部７Ｂａ〜７Ｂｄは、熱交換器であり、これらが冷媒配管で接続されて室外熱交換器７Ｂを構成している。
熱交換部７Ｂａ〜７Ｂｄは、垂直断面視した形状が略波形（ジグザグ状）となるように配置されている。このため、ケーシング１内に設けられる室外熱交換器７Ｂの実装体積が増大し、熱交換量を増大させることができる。
また、室外熱交換器７Ｂは、垂直断面形状が略波形であることに対応して、室外熱交換器７Ｂの通風面積も増大している。このため、室外熱交換器７Ｂは、実装体積の増加に対応して増大する通風抵抗を抑制することが可能となっている。すなわち、室外熱交換器７Ｂは、室外熱交換器７Ｂの実装体積の増大に伴ってファン入力を増大させても、室外熱交換器７Ｂの通風抵抗を抑制することができる分、ファン入力を低減することができる。
さらに、室外熱交換器７Ｂは、実装体積及び通風面積が大きいが、垂直断面視した形状が略波形となっているため、コンパクトとなっている。
このように、室外熱交換器７Ｂは、ケーシング１のサイズを大きくすることなく、実装体積及び通風面積を大きくすることができ、室外熱交換器７Ｂの熱交換量を高効率に増加させることができるようになっている。
【００４８】
熱交換部７Ｂａは、室外熱交換器７Ｂのうちの上端部側を構成するものであり、熱交換部７Ｂａを流れる空気（図４の矢印）の上流側から下流側に向かって下方に傾斜するようにケーシング１内に設けられている。熱交換部７Ｂａは、熱交換部７Ｂｂに接続されている。
熱交換部７Ｂｂは、上端部側が熱交換部７Ｂａに接続され、下端部側が熱交換部７Ｂｃに接続されている。熱交換部７Ｂｂは、下流側から上流側に向かって下方に傾斜するようにケーシング１内に設けられている。
熱交換部７Ｂｃは、上端部側が熱交換部７Ｂｂに接続され、下端部側が熱交換部７Ｂｄに接続されている。熱交換部７Ｂｃは、熱交換部７Ｂａと同様に、熱交換部７Ｂａを流れる空気（図４の矢印）の上流側から下流側に向かって下方に傾斜するようにケーシング１内に設けられている。
熱交換部７Ｂｄは、室外熱交換器７Ｂのうちの下端部側を構成するものであり、熱交換部７Ｂａを流れる空気（図４の矢印）の下流側から上流側に向かって下方に傾斜するようにケーシング１内に設けられている。熱交換部７Ｂｄは、熱交換部７Ｂｃに接続されている。
【００４９】
このように、室外熱交換器７Ｂは、熱交換器である熱交換部７Ｂａ〜７Ｂｄが４つ配置されている。すなわち、室外熱交換器７Ｂは、熱交換部７Ｂａと熱交換部７Ｂｂとの接続箇所に対応する第１の折れ曲がり部と、熱交換部７Ｂｂと熱交換部７Ｂｃとの接続箇所に対応する第２の折れ曲がり部と、熱交換部７Ｂｃと熱交換部７Ｂｄとの接続箇所に対応する第３の折れ曲がり部とを有している。
また、熱交換部７Ｂａ〜７Ｂｄの室外ファン４側の端部側は、室外ファン４に近接し、室外熱交換器７Ｂの通風面積が十分大きくなるように配置されている。
【００５０】
熱交換部７Ｂａ〜７Ｂｄは、フィン７１Ｃと伝熱管７２（断面図を図示）で構成されている。フィン７１Ｃは、紙面平行方向（垂直から傾斜する方向）に伸びた短冊状の板で、紙面直交方向（水平方向）の伝熱管と共に、空気が流れるすきまが形成されるように一定の間隔を介して紙面直交方向（水平方向）に複数積層されている。このため、実施の形態２では、実施の形態１で示した効果に加え、フィン７１Ｃ間のすきまが空気の流れ方向と平行になっているため、空気は室外熱交換器７Ｂを通過する際に、移動しやすくなっている。このため、室外熱交換器７Ｂの通風抵抗がより低減し、ファン入力を低減することができる。
【００５１】
なお、本実施の形態２では、室外熱交換器７Ｂの熱交換部の台数を４つとし、折れ曲がり部の数を３つとした場合を例に説明したが、それに限定されるものではない。たとえば、室外熱交換器７Ｂの熱交換部の台数を５つ以上とし、折れ曲がり部の数を４箇所以上としてもよい。この場合、通風抵抗の増加も伴うため、室外熱交換器７Ｂの「厚み」を薄くするなど、室外熱交換器７の仕様を適宜選択するとなお良い。
【００５２】
また、本実施の形態２では、４つの熱交換部７Ｂａ〜７Ｂｄを別体で構成しているが、熱交換部を一体で製造後、上述の第１〜第３の折れ曲がり部に対応する部分で室外熱交換器７Ｂを曲げることで構成してもよい。また、もともと略波形に一体で製造しても良い。
【００５３】
また、本実施の形態２では、熱交換部７Ｂａと熱交換部７Ｂｂとの接続部（第１の折れ曲がり部）及び熱交換部７Ｂｃと熱交換部７Ｂｄとの接続部（第３の折れ曲がり部）が室外ファン４側に近接し、熱交換部７ｂと熱交換部７ｃとの接続部（第２の折れ曲がり部）が室外熱交換器２０側に近接するように室外熱交換器７Ｂを配置したが、この配置方法に限定されるものではない。すなわち、室外熱交換器７Ｂの上流側と下流側とが反転するように室外熱交換器７Ｂを配置してもよい。
より詳細には、熱交換部７Ｂｂと熱交換部７Ｂｃとの接続部（第２の折れ曲がり部）が室外熱交換器２０に近接し、熱交換部７Ｂａと熱交換部７Ｂｂとの接続部（第１の折れ曲がり部）及び熱交換部７Ｂｃと熱交換部７Ｂｄとの接続部（第３の折れ曲がり部）が室外ファン４側に近接するように熱交換部７Ｂａ〜７Ｂｄを配置してもよい。
【００５４】
［変形例］
図６は、実施の形態２に係る空気調和装置の室外ユニット５１の熱交換部を図４における矢印Ｃから見た模式図である。なお、図６（ａ）は、図４に示す矢印Ｃから室外熱交換器７Ｂ、２０を見た図（背面図）であり、図６（ｂ）は、図６（ａ）におけるＤ−Ｄ断面模式図である。
室外熱交換器７Ｂは、図６に示すように、室外熱交換器７Ｂの一方のサイドプレート８０が、仕切板８と共通化がなされている。すなわち、室外熱交換器７の一方のサイドプレート８０と仕切板８とが一体成型されている。このように、仕切板８と室外熱交換器７の一方のサイドプレート８０を構成すれば、「部品の共通化によるコストダウン」、「室外熱交換器７と仕切板８の一体化による組立部品点数削減」、及び「組立工程の簡素化」を図ることができる。また、仕切板８に室外熱交換器７Ｂ、つまり各熱交換部７Ｂａ〜７Ｂｄを固定できるため、室外熱交換器７Ｂを垂直方向に対して略波形に配置するための配置精度が向上する。
【００５５】
［実施の形態２に係る室外ユニット５１の有する効果］
本実施の形態２に係る室外ユニット５０は、実施の形態１に係る室外ユニット５０と同様な効果を奏する。
【００５６】
実施の形態３．
本実施の形態３では、実施の形態１、２で示した室外ユニット５０、５１の室外ファン４Ｂに対して改良が加えられている。図７は、実施の形態３に係る空気調和装置の室外ユニット５２を示す外観斜視図である。図８は、図７におけるＥ−Ｅ断面模式図である。本実施の形態３では、図８に示すように、実施の形態２に係る室外ユニット５１に、実施の形態３に係る室外ファン４Ｂを設置した場合を例に説明している。
なお、本実施の形態３では、実施の形態１、２と同一部分には同一符号とし、実施の形態１、２との相違点を中心に説明するものとする。また、図７では、室外熱交換器７Ｂ、２０の図示を省略している。また、図８に示す白抜き矢印は、室外ユニット５２を流れる空気の流れを示すものである。
【００５７】
本実施の形態３に係る室外ファン４Ｂの羽根４ｃは、図７及び図８に示すように、内周側端部がボス４ｄに接続される内周羽根１０１と、内周羽根１０１の外周側端部に接続される中間リング１００と、内周側端部が中間リング１００に接続される外周羽根１０２とを有している。
内周羽根１０１は、内周側端部がボス４ｄに接続され、外周側端部が中間リング１００に接続されたものである。中間リング１００は、平面視形状がリング状の部材であり、内周羽根１０１と外周羽根１０２とを接続して固定するものである。中間リング１００は、羽根４ｃの略中間位置に設けられている。
外周羽根１０２は、内周側端部が中間リング１００に接続され、外周側端部がベルマウス３に対向するように設けられている。
本実施の形態３では、外周羽根１０２の枚数を内周羽根１０１の枚数より多くして、室外ファン４Ｂの空力性能を確保している。また、図８に示すように、熱交換部７Ｂａと熱交換部７Ｂｂとの接続部（第１の折れ曲がり部）及び熱交換部７Ｂｃと熱交換部７Ｂｄとの接続部（第３折れ曲がり部）の位置が、熱交換部７Ｂａ〜７Ｂｄの並び方向において、中間リング１００の位置と略一致している。
【００５８】
実施の形態１、２における室外ファン４は、羽根４ａの幅を狭くし、その分、羽根４ａの枚数を多くして、回転軸方向の厚みが薄くなるように構成している。
一方、本実施の形態３に係る室外ファン４Ｂは、内周羽根１０１と外周羽根１０２との間に中間リング１００が設けられているため、羽根４ｃの根元側の強度を向上させることができるようになっている。このため、より一層、羽根４ｃの幅を狭くすることが可能となり、幅を狭くした分、内周羽根１０１及び外周羽根１０２の枚数を多くすることができる。すなわち、本実施の形態３に係る室外ファン４Ｂは、実施の形態１、２に係る室外ファン４よりも空気を搬送する能力が低減することなく、実施の形態１、２に係る室外ファン４よりも回転軸方向の厚みの薄型化を図ることが可能となっている。
【００５９】
このように、室外ファン４Ｂの羽根４ｃの軸方向厚みがより小さくなるため、室外ユニット５２内に室外熱交換器７Ｂを実装するスペースが増加するので、室外熱交換器７Ｂの実装体積が増加する。
また、室外熱交換器７Ｂの接続部（第１〜第３の折れ曲がり部）付近では比較的空気が流れにくいが、羽根４ｃのない中間リング１００の位置と略一致しているため、中間リング１００を設けたことに起因する室外ファン４Ｂの空力性能の低下を抑制することができる。さらに、中間リング１００への空気流入がないため、吸い込み空気と中間リング１００との干渉による乱れに起因する騒音増加を抑制することができる。
このように、室外ファン４Ｂの空力性能の低下、騒音の増加を招くことなく室外ファン４Ｂの薄型化、つまりは室外熱交換器７Ｂの実装体積を増加させることができる。
【００６０】
なお、本実施の形態３では、内周羽根１０１と外周羽根１０２とを接続する中間リング１００を羽根４ｃの略中間部に設けたが、それに限定されるものではない。たとえば、羽根４ｃの外周部、すなわち羽根４ｃの中間リング１００の径方向の外側に、隣接する外周羽根１０２を接続するリング状の部材（外周リング）を設けてもよい。これにより、羽根４ｃの強度をさらに向上させることができる。
【００６１】
また、本実施の形態３では、室外ファン４Ｂに近接する室外熱交換器７Ｂの第１の折れ曲がり部及び第３の折れ曲がり部の両方の高さ位置を、中間リング１００の位置と略一致させたが、それに限定されるものではない。たとえば、第１の折れ曲がり部及び第３の折れ曲がり部のうちの少なくとも１つの高さ位置を、中間リング１００の位置と略一致させることでも、同質の効果を得ることができることは言うまでもない。
【００６２】
［実施の形態３に係る室外ユニット５２の有する効果］
本実施の形態３に係る室外ユニット５２は、実施の形態１、２に係る室外ユニット５０、５１と同様な効果を奏することに加えて、以下の効果を奏する。すなわち、本実施の形態３に係る室外ユニット５２は、室外ファン４Ｂを有しているので、空力性能の低下、騒音の増加を招くことなく、室外ファン４Ｂの薄型化、つまりは室外熱交換器７Ｂの実装体積を増加させることができる。
【００６３】
実施の形態４．
図９は、実施の形態４に係る空気調和装置の冷媒回路構成の一例である。図９を参照しながら、同図で示される空気調和装置の構成及び冷媒回路の冷凍サイクル動作について説明する。なお、本実施の形態４では、実施の形態１〜３と同一部分には同一符号とし、実施の形態１〜３との相違点を中心に説明するものとする。
【００６４】
室外ユニット５３は、冷媒配管を介して室内ユニット２００に接続されている。
室外ユニット５３は、上述の冷媒を圧縮する圧縮機９、凝縮器（放熱器）或いは蒸発器として機能する室外熱交換器７、２０、及び室外熱交換器７、２０に空気を供給する室外ファン４に加えて、冷媒を減圧させる膨張弁２３０、２４０と、冷媒流量の調整などをする弁２５０、２６０とを有している。
室内ユニット２００は、蒸発器或いは凝縮器として機能する室内熱交換器２２０と、室内熱交換器２２０に空気を供給する室内ファン２１０とを有している。
このように、空気調和装置は、圧縮機９、室内熱交換器２２０、膨張弁２３０、２４０、室外熱交換器７、２０を有し、これらが冷媒配管を介して接続されて冷凍サイクルを構成している。
【００６５】
膨張弁２３０、２４０は、冷媒回路を流通する冷媒を減圧して膨張させるものである。膨張弁２３０は、一方が室外熱交換器７、２０側の冷媒配管に接続され、他方が室内熱交換器２２０側の冷媒配管に接続されている。膨張弁２４０は、一方が圧縮機９の吸入側に接続され、他方が室外熱交換器２０側の冷媒配管に接続されている。膨張弁２３０、２４０は、開度が可変に制御可能なもの、たとえば電子式膨張弁などで構成するとよい。
弁２５０、２６０は、流路の開閉を含めて、冷媒流量の調整をすることが可能なものである。空気調和装置は、圧縮機９の吐出側と室外熱交換器２０の下流側とを接続する冷媒配管である除霜回路２７０を有しており、この除霜回路２７０に弁２６０が設けられている。また、空気調和装置は、膨張弁２３０と室内熱交換器２０を結ぶ冷媒配管が室外熱交換器７とに分岐しており、室外熱交換器２０側に分岐している方の冷媒配管に弁２５０が設けられている。
【００６６】
室内熱交換器２２０は、室内ファン２１０によって室内ユニット２００に取り込まれる室内空気と冷媒との間で熱交換を行わせ、暖房運転時に冷媒を凝縮液化させ、冷房運転時に冷媒を蒸発ガス化させるものである。
室内ファン２１０は、室内ユニット２００に形成された図示省略の吸込口６を介して、室内ユニット２００の室内熱交換器２２０に空気を供給するものである。
【００６７】
次に、空気調和装置の暖房運転時における冷媒動作について説明する。なお、暖房運転時においては、弁２６０を全閉、弁２５０を全開、膨張弁２４０を全開、膨張弁２３０を所定の開度とする。
圧縮機９によって圧縮され吐出された気体冷媒は、室内熱交換器２２０へ流入する。この室内熱交換器２２０に流入した気体冷媒は、室内ファン２１０から供給される空気と熱交換を実施して凝縮し、室内熱交換器２２０から流出する。
室内熱交換器２２０から流出した冷媒は、膨張弁２３０に流入し、この膨張弁２３０によって膨張され減圧される。減圧された冷媒は、室外熱交換器７、２０に流入し、室外ファン４から供給される室外空気と熱交換が実施されて気化し、室外熱交換器７、２０から流出する。この室外熱交換器７、２０から流出した冷媒は、圧縮機９に吸引される。
【００６８】
次に、空気調和装置の除霜運転時における冷媒動作について説明する。なお、除霜運転時においては、弁２６０を全開、弁２５０を全閉、膨張弁２３０を全閉、膨張弁２４０を所定の開度とする。なお、ここでは、室外熱交換器２０に対して除霜運転を実施する場合を例に説明する。
圧縮機９によって圧縮され吐出された気体冷媒は、除霜回路２７０に流入する。除霜回路２７０に流入した冷媒（ホットガス）は、室外熱交換器２０に流入し、室外熱交換器２０に付着している霜などを溶かす。
室外熱交換器２０から流出した冷媒は、膨張弁２４０に流入し、この膨張弁２４０によって膨張され減圧される。減圧された冷媒は、圧縮機９に吸引される。
【００６９】
実施の形態４に係る空気調和装置では、四方弁が設けられていない場合を例に説明しているが、四方弁を設けて冷房運転ができるように構成してもよい。
【符号の説明】
【００７０】
１  ケーシング、１ａ  ベース板、１ｂ  フロントパネル、１ｃ  サイドパネル、１ｄ  天板、２  吹出口、３  ベルマウス、４  室外ファン、４ａ  羽根、４ｂ  ボス、４Ｂ  室外ファン、４ｃ  羽根、４ｄ  ボス、５  ファンモータ、６  吸込口、７  室外熱交換器（第１熱交換器）、７ｂ〜７ｅ  熱交換部、７Ｂ  室外熱交換器（第１熱交換器）、７Ｂａ〜７Ｂｄ  熱交換部、８  仕切板、９  圧縮機、１０  機械室、２０  室外熱交換器（第２熱交換器）、５０〜５３  室外ユニット、７１、７１Ｂ、７１Ｃ  フィン、７２  伝熱管、８０  サイドプレート、１００  中間リング、１０１  内周羽根、１０２  外周羽根、２００  室内ユニット、２１０  ファン、２２０  室内熱交換器、２３０、２４０  膨張弁、２５０、２６０  弁、２７０  除霜回路。
【図１】
2013183090.tif 000003
【図２】
2013183090.tif 000004
【図３】
2013183090.tif 000005
【図４】
2013183090.tif 000006
【図５】
2013183090.tif 000007
【図６】
2013183090.tif 000008
【図７】
2013183090.tif 000009
【図８】
2013183090.tif 000010
【図９】
2013183090.tif 000011
【手続補正書】
【提出日】平成26年10月24日(2014.10.24)
【手続補正１】
【補正対象書類名】明細書
【補正対象項目名】０００９
【補正方法】変更
【補正の内容】
【０００９】
本発明に係る空気調和装置の室外ユニットは、室外熱交換器、室外熱交換器に空気を供給する少なくとも１つの室外ファン及び冷媒を圧縮する圧縮機が搭載され、吸込口及び吹出口を有する略箱状のケーシングを有する空気調和装置の室外ユニットにおいて、室外熱交換器は、複数の熱交換部で構成された第１熱交換器と、水平断面視した形状が直線状である第２熱交換器とを有し、第１熱交換器は、水平断面視又は垂直断面視した状態において、複数の熱交換部が波形又はジグザクに配置されており、第２熱交換器は、第１熱交換器の上流側に設けられており、ケーシングは、第２熱交換器の上流側の面と対向する側が、開放されて吸込口を構成し、第１熱交換器と第２熱交換器との間に空間が設けられているものである。
【手続補正２】
【補正対象書類名】特許請求の範囲
【補正対象項目名】全文
【補正方法】変更
【補正の内容】
【特許請求の範囲】
【請求項１】
室外熱交換器、前記室外熱交換器に空気を供給する少なくとも１つの室外ファン及び冷媒を圧縮する圧縮機が搭載され、吸込口及び吹出口を有する略箱状のケーシングを有する空気調和装置の室外ユニットにおいて、
前記室外熱交換器は、複数の熱交換部で構成された第１熱交換器と、水平断面視した形状が直線状である第２熱交換器とを有し、
前記第１熱交換器は、水平断面視又は垂直断面視した状態において、前記複数の熱交換部が波形又はジグザクに配置されており、
前記第２熱交換器は、前記第１熱交換器の上流側に設けられており、
前記ケーシングは、前記第２熱交換器の上流側の面と対向する側が、開放されて前記吸込口を構成し、
前記第１熱交換器と前記第２熱交換器との間に空間が設けられている
ことを特徴とする空気調和装置の室外ユニット。
【請求項２】
波形又はジグザクに配置された前記第１熱交換器の前記複数の熱交換部の上流側を覆うように平板状の前記第２熱交換器が配置されている
ことを特徴とする請求項１に記載の空気調和装置の室外ユニット。
【請求項３】
前記第１熱交換器は、
折れ曲がり部を有するように配置され、前記折れ曲がり部のうち前記熱交換部を流れる空気の流れ方向上流側のものが、前記第２熱交換器の下流側面に近接し、
前記折れ曲がり部のうち前記熱交換部を流れる空気の流れ方向下流側のものが、前記室外ファンに近接するように、前記熱交換部が配置されている
ことを特徴とする請求項１又は２に記載の空気調和装置の室外ユニット。
【請求項４】
前記第１熱交換器は、
４台以上の前記熱交換部から構成された
ことを特徴とする請求項１〜３のいずれか１項に記載の空気調和装置の室外ユニット。
【請求項５】
前記第１熱交換器は、
複数の前記熱交換部のうち隣接する前記熱交換部同士が接続されて構成された
ことを特徴とする請求項１〜４のいずれか一項に記載の空気調和装置の室外ユニット。
【請求項６】
前記第１熱交換器は、
所定の間隔を介して積層された複数のフィンと、これらフィンを貫通し、冷媒が流れる伝熱管とを有し、
前記フィンの積層方向が略水平方向である
ことを特徴とする請求項１〜５のいずれか一項に記載の空気調和装置の室外ユニット。
【請求項７】
前記第１熱交換器は、
所定の間隔を介して積層された複数のフィンと、これらフィンを貫通し、冷媒が流れる伝熱管とを有し、
前記フィンの積層方向が略垂直方向である
ことを特徴とする請求項１〜５のいずれか一項に記載の空気調和装置の室外ユニット。
【請求項８】
前記室外ファンは、
回転する羽根と、前記羽根が固定されるボスと、前記ボスに接続され、前記ボスを回転させるモータとを有し、
前記モータが、
前記ボスに内蔵されている
ことを特徴とする請求項１〜６のいずれか一項に記載の空気調和装置の室外ユニット。
【請求項９】
前記室外ファンの前記羽根は、
内周側端部が前記ボスに接続された内周羽根と、
前記内周羽根の外周側端部に接続される中間リングと、
内周側端部が前記中間リングに接続された外周羽根とを有し、
前記中間リングは、
前記羽根の径方向における略中間部に設けられた
ことを特徴とする請求項８に記載の空気調和装置の室外ユニット。
【請求項１０】
前記室外ファンは、
隣接する前記外周羽根を固定するように、前記中間リングよりも前記羽根の径方向において外側に設けられた外周リングを有する
ことを特徴とする請求項９に記載の空気調和装置の室外ユニット。
【請求項１１】
前記第１熱交換器は、
前記第１熱交換器を構成する前記熱交換部の一端側と、この熱交換部に接続される前記熱交換部の他端側との接続箇所を折れ曲がり部としたとき、
前記折れ曲がり部の高さ位置が、前記中間リングの高さ位置と略一致するように前記複数の熱交換部が設けられた
ことを特徴とする請求項９又は１０に記載の空気調和装置の室外ユニット。
【請求項１２】
前記室外熱交換器側の空間と、前記圧縮機及び前記室外ファン側の空間とを区画するように立設された仕切板を有する
ことを特徴とする請求項１〜１１のいずれか一項に記載の空気調和装置の室外ユニット。
【請求項１３】
請求項１〜１２のいずれか一項に記載の空気調和装置の室外ユニットと、
室内熱交換器を有する室内ユニットとを備えた
ことを特徴とする空気調和装置。
【国際調査報告】
2013183090.tif 000012
2013183090.tif 000013
2013183090.tif 000014
2013183090.tif 000015